(57)【要約】      （修正有）【課題】容易に然も正確に静脈血管を探り当て、再刺通等の苦痛を患者に与える事なく注射、輸血、採血、点滴、造影注射等を行ない得る拡散型半導体圧力センサ−を備えた手動或は自動注射器或はその均等な医療器具を提供する。【解決手段】注射器の針先が静脈を刺通した時、この血管の圧力に感応する拡散型半導体圧力センサ−６を、血管内の血流を伝達する前記注射器の適当位置に装着し、前記センサ−の圧力ポ−トＰから伝えられる血流に依るセンシングエレメントのダイアフラムの圧力歪みを、そのストレンゲ−ジの抵抗変化に変換し、此の変化を電気信号として外部に取り出し、この微弱信号を無線９若しくは有線受信器で受信して増幅し、可視若しくは可聴信号に変換して、前記注射針が静脈を刺通した事を自覚し、爾後注射器ピストン３を操作して注射、輸血、採血、点滴等の医療処置を開始する。【選択図】図１
2006175191.tif 000002
【特許請求の範囲】
【請求項１】
手動或は自動注射器又は均等医療器具において、針先に掛かる血流に感応する半導体圧力センサ−を、前記注射器等の血流を伝達する個所に装着し、この血流に依って前記センサ−の出力部に誘起される電気信号を、可視又は可廰信号に変換し、この信号の確認後、血液の逆流を派生する事なく、採血、点滴等の医療処置を開始する様に構成した事を特徴とする医療器具。
【請求項２】
前記圧力センサ−を、前記注射器又は均等医療器具のシリンダ−内外の最先端部又はピストンの外側先端部に装着した事を特徴とする請求項１記載の医療器具。
【請求項３】
前記圧力センサ−の出力側に誘起される電気信号を、無線又は有線受信手段で受信して可視又は可聴信号に変換する事を特徴とする請求項１又は２記載の医療器具。
【発明の詳細な説明】
【発明の詳細な説明】
【技術分野】
【０００１】    本発明は、手動或は自動注射器又はその均等医療器具、詳しくは血流に感応する拡散型半導体圧力センサ−を備え、これに伝達される血液に依る圧力歪みを、その出力端子で電気信号に変換し、この信号を無線又は有線受信器で捕捉し、可視又は可聴信号に変換して自覚し、この信号に従って血液の逆流を派生さす事なく爾後の医療処理を実行する様に構成した手動又は自動注射器等の医療器具に関するものである。
【背景技術】
【０００２】      従来、医薬品注射、採血、輸血等に於ては、一般に上腕部をゴムバンド等で締め付けて静脈を浮き立たせ、これに注射針を刺し込んで注射又は採血しているが、人に依ってはなかなか静脈が浮き出ず、又常時注射を繰り返している患者等では、皮膚又は血管が硬化して注射針が通り難く、経験の浅い医療従事者ではその処置に苦労し、又患者にとっては針の刺し込みを繰り返され、場合に依っては恐怖を感じ、苦痛を伴う治療ともなる場合さえあった。【０００３】      この様な困難又は苦痛を排除する為に、従来提案されているのは皮下注射器のみであり、例えば糖尿病患者えの注射等においては、以下のごとき特殊な注射器が提案されている。
【特許文献１】      特願２０００−６０９６９
【発明の開示】
【発明が解決しようとする課題】
【０００４】      しかしながら、上記特願２０００−６０９６９号の技術は、糖尿病患者の携帯用自動注射器及び注射ユニットに関するもので、注射針（３−１１）の先端に装着された酵素体（３０２）、例えばグルコ−ズオキシタ−ゼは、注射針と一緒に患者の皮膚下に刺し通された時、その皮質の血糖値に応じて電荷を形成し、葡萄糖センサ−（３０７）の導体（３０５）（３０６）を経て微弱電流として取り出され、増幅器（３１１）で増幅された後、マイコン及びモ−タ−を駆動して注射器を必要速度で駆動する様に構成されている。（図２７、２８及び２９参照）【０００５】従って最も利用の多い薬液の静脈注射、輸血、採血、点滴、造影注射等の医療行為には利用出来ず、上記した新任医療従事者の最も苦労するこの種静脈注射等には役立たない技術である。
本発明は、この種静脈注射等の不利、不便を克服し、医療上の使用効率を挙げる事を課題とするものである。
【課題を解決する為の手段】
【０００６】        斯の如き課題を解決する為に本発明においては、単なる葡萄糖皮下注射に変わるべき血流に感応する拡散型半導体圧力センサ−を、血流の伝達される当該注射器シリンダ−内外の適当位置に取り付け、血流が伝達された時、その圧力に依るセンシングエレメントのダイアフラムの歪み抵抗の変化に対応するその上の電極の歪み変化を、電気信号として捕らえ、この変化を注射器の外部の有線又は無線受信機で受信し、可視又は可聴信号に変換して、正確に注射針の静脈血流との接触状態を確認し、爾後の注射、採血等の医療器の使用をスム−ズ且つ正確に行なう様に構成した事を特徴とするものである。
【発明の効果】
【０００７】        従ってほぼ一定している人体の特定部例えば上腕部の一血管静脈部に、注射針を刺通して注射器上の可視又は可聴信号の作動を確認さえすれば、爾後の医療行為を行なうだけであるから、技術の優劣等は無関係となり、又患者の体形、体質又は病歴に依る差別例えば血管の確認及び注射針刺通難易度、或は反復針刺通の為の上皮硬質化に依る技術上の差別化等は無視する事が出来、血管の太さ及び細さ、浮き出る度合い等の差別に依る患者の治療上の苦痛、治療者の苦難を共に取り除く事が出来る。
【０００８】        更に、初心者等えの教育、実習、講習等の手間が省け、夫々の職務に専念する事が出来ると同時に、ゴムバンド、余分な注射針、消毒液、ガ−ゼ等が節約されるので、医療人件費、経費等が削減される。
【０００９】        又、近時の此の種センサ−の生産技術は著しく向上し、種々な寸法、種々な形状のものが提供されると共に、この種センサ−を利用した手動、自動何れの注射器も比較的安価に提供されるので、医療器具産業界での本発明の経済効果は極めて大きいものがあると確信される。
【発明を実施する為の最良の形態】
【００１０】        斯くの如く本発明の注射器、採血器等は、血液等の微弱な流れにも感応し得る極く小型の拡散型半導体圧力センサ−を、注射器、採血器等の血液流体が伝達される個所に取り付け、この血流の圧力に依るダイアフラムの歪み変化を、その電極の抵抗値の変化として捕らえ、此の微量変化を外部え電気信号として取り出し、増幅後光可視信号又は可聴信号に変換して使用者が確認出来る様に構成したものであるから、信号発生そのものが針先の血管えの刺通したその時であるから、身体の定位置にある静脈えの針先の刺通は、技術の有無に関わりなく容易に行い得るものであるから、血液の逆流も起こる事なく正確に治療行為を実施する事が出来る。
此の様な医療効果及び利益は、此の種圧力センサ−の注射器等えの利用に依ってのみ得られるものである。
以下に図面を参照して本発明の手動或は自動注射器の好個の数実施例を説明する。
【実施例１】
【００１１】      本発明の拡散型半導体圧力センサ−付き手動或は自動注射器又は均等医療器具（１）は、通常の如く、主として注射器シリンダ−（２）と、ピストン（３）と、注射針（４）と、此等注射器主部と一体的又は個別的な信号部（１２）とより成る。【００１２】      此のシリンダ−（２）内には、血流が伝達される最も近い先端内側に、細孔（８’）の設けられ、適当な材料で作られた活栓（８）が嵌合され、その上面に半導体圧力センサ−（６）が装着されている。【００１３】      此の半導体圧力センサ−（６）は、図２及び図３に示す如く、その外側容器（１４）の上面に一個の導圧口（圧力ポ−ト）（Ｐ）を備え、血流の圧力は、矢印方向からセンシングエレメント（Ｓ）に伝達され、そのダイアフラム（１５）が変形し、此の変形が表面に設けられたストレンゲ−ジに伝達され、最終的に此のストレンゲ−ジの歪みが、電気信号として導体（７）から取り出される様に構成されている。【００１４】      斯くて導体（７）（７）からの電気信号は、当該注射器（１）とは別個に設けられた無線受信機（１２）の受信部（９）で受信され、増幅器（１０）で増幅され、可視信号器（１１）から光信号として取り出され、此の信号に従って注射器ピストン（３）を（Ｆ）方向に引き上げて採血する。【００１５】      此の様にして血液は、静脈（８）に刺し通された注射針（４）及びその挿入口（５）を通って圧力ポ−ト（１０）に到達し、前記の如く信号を発信した後吸引され、活栓（８）を通ってシリンダ−（２）内に吸引採血される。
【実施例２】
【００１６】      図４には、図３の無線式圧力センサ−電気信号受信方式に代る有線受信方式の採血器（４１）が示されている。
此の採血器（４１）に於ては、ピストン（４３）の外側先端上に、上記と同様な拡散型半導体圧力センサ−（４６）が装着され、注射針（４４）及びその挿入口（４５）を通って矢印方向から血液が流入して電気信号を発生し、コ−ド線（４７）及びその端子（４８）、受信器（４９）、増幅器（５０）を経て光信号（５１）として発信され、此の信号の確認後、ピストン（４３）は、矢印（Ｆ）方向に引き上げられ採血される。
【実施例３】
【００１７】        図５には、超小型の拡散型半導体圧力センサ−（６６）を、薬液又は血液注入シリンダ−の外側又は内側先端に装着した微量液注入ポンプ付き携帯注射器（６１）が示されている。
此のシリンジポンプ注射器（６１）は、通常の如く、その内部にコンピュ−タ−制御の小型電動機を内包し、此の電動機の駆動に依って注射器シリンダ−（６２）内でネジ駆動されるピストンの微小運動に従い、正確に薬液若しくは血液を注射する様に構成されているが、此の注射運動の始動は、上記実施例（１）（２）と同様な半導体圧力センサ−（６６）が、血流を伝達される適当個所、例えば図６に示す如く、注射器シリンダ−（６２）と注射針連結チュ−ブ（６５）とのコネクタ−連結部（６３）の外側先端又は前記注射器シリンダ−（６２）の内側先端（図示せず）に装着されている。【００１８】        その使用に際しては、適当な注射液の充満された注射器シリンダ−（６２）に連結されている蝶型注射針（６８）が、先ず患者の静脈上又はその近辺から刺し込まれ、血管を探り当ててそれを刺し通し、血流がチュ−ブ（６７）を通って前記コネクタ−（６５）内の圧力センサ−（６６）に伝達されると、上記した様に此のセンサ−から出力された電気信号は、無線又は有線受信器（図示せず）を介して受信され、可視信号器（６９）の光信号に変換されて警報する。【００１９】        此の信号を受信した操作者は、計器部（６４）の注射器電動機（図示せず）の駆動ボタン（７１）を押して注射を開始し、前記シリンダ−（６２）と聯動するピストンをギヤ−並びにネジで注射速度を調節しながら、極微量の定量薬液又は血液を自動的に注射し、ボタン（７２）を押してその医療行為を完了する様に構成されている。
【産業上の利用可能性】
【００２０】        斯くの如く、本発明の無線、有線又は手動或は自動拡散型半導体圧力センサ−付き注射器（ロボット注射器）（１）、（４１）及び（６１）は、患者の体質、体形、病歴及び治療経験等には関係なく、簡単且つ正確に静脈を探り当てる事が出来ると同時に、血液の流れを逆流する事もなく、薬液注射、輸血、採血、点滴、造影注射等の医療器具にも応用出来、その経済的効果は国内だけでも多大にも及ぶと推測され、加えて治療者例えば医療従事者えの技術教育、教習、等の手間が省け、夫々の職務に専念する事が出来、患者自身も注射針の誤刺通等の苦痛、恐怖を避ける事が出来るので、その利用価値は測りえない程多大であると見做す事が出来る。
【図面の簡単な説明】
【００２１】
【図１】本発明の拡散型半導体圧力センサ−付き手動注射器の一部切断斜視図である。
【図２】上記注射器に使用する拡散型半導体圧力センサ−の切断斜視図である。
【図３】図１の線Ａ−Ａに沿って切断した切断平面図である。
【図４】本発明の手動注射器の他の態様を示す切断正面図である。
【図５】本発明の更に他の態様の自動注射器の一部切断斜視図である。
【図６】図５の自動注射器の一部切断正面図である。
【符号の説明】
【００２２】  １        拡散型半導体圧力センサ−付き手動注射器
２        シリンダ−
３        ピストン
４        注射針
６        拡散型半導体圧力センサ−
７        電気信号取出しリ−ド線
８        活栓
Ｐ        圧力ポ−ト
９        無線受信器
１０        増幅器
１１        可視信号
【図１】
2006175191.tif 000003
【図２】
2006175191.tif 000004
【図３】
2006175191.tif 000005
【図４】
2006175191.tif 000006
【図５】
2006175191.tif 000007
【図６】
2006175191.tif 000008